(57)【要約】【課題】交換レンズの変更に伴って発生する撮影画像のケラレに対処することができる技術を提供する。【解決手段】カメラ本体１０１に対して、露光面が第１サイズである撮像装置用に設計された交換レンズ１０２を装着する。その後、交換レンズ１０２から読み出されたレンズ情報に基づいて、撮像素子１１６に設けられた露光面の第２サイズより第１サイズが小さいサイズ不一致と判定される場合には、撮像素子１１６の露光面で得られる全体画像に相当するＲＡＷ画像データを、交換レンズから取得したレンズ情報を付加してメモリカード１７６に記憶する。【選択図】図５
2007174302.tif 000002
【特許請求の範囲】
【請求項１】
露光面が第１サイズである撮像装置用に設計された交換レンズを着脱可能な撮像装置であって、
第２サイズを有する露光面が設けられた撮像素子と、
前記交換レンズの装着後に、前記交換レンズから当該交換レンズに係るレンズ情報を取得する情報取得手段と、
前記レンズ情報に基づいて、前記第１サイズが前記第２サイズより小さいサイズ不一致を判定する判定手段と、
前記サイズ不一致である場合には、前記撮像素子の露光面で得られる全体画像を可逆圧縮又は非圧縮状態で、前記レンズ情報を付加して記憶する記憶手段と、
を備えることを特徴とする撮像装置。
【請求項２】
請求項１に記載の撮像装置であって、
前記レンズ情報に基づいて、前記全体画像から、前記交換レンズのイメージサークル不足によるケラレ部分を除いた部分画像を抽出する抽出手段と、
前記部分画像に対して不可逆圧縮処理を施した部分圧縮画像を生成する圧縮画像生成手段と、
を更に備え、
前記記憶手段が、
前記部分圧縮画像を記憶することを特徴とする撮像装置。
【請求項３】
請求項２に記載の撮像装置であって、
前記サイズ不一致である場合に、前記全体画像を可逆圧縮又は非圧縮状態で前記レンズ情報を付加して前記記憶手段に記憶する第１モードと、前記サイズ不一致である場合に、前記レンズ情報に基づいて前記全体画像から前記部分画像を抽出し、不可逆圧縮処理を施して前記記憶手段に記憶する第２モードとを含む複数モード間でモード切り替えを行うモード切替手段、
を更に備えることを特徴とする撮像装置。
【請求項４】
請求項２に記載の撮像装置であって、
前記サイズ不一致である場合に、前記全体画像を可逆圧縮又は非圧縮状態で前記レンズ情報を付加して前記記憶手段に記憶するとともに、前記レンズ情報に基づいて前記全体画像から前記部分画像を抽出し、不可逆圧縮処理を施して前記記憶手段に記憶するように制御する制御手段、
を更に備えることを特徴とする撮像装置。
【請求項５】
撮像装置に含まれるコンピュータによって実行されることにより、前記撮像装置を、請求項１から請求項４のいずれかに記載の撮像装置として機能させるプログラム。
【請求項６】
交換レンズと、前記交換レンズを着脱可能な撮像装置とを有する撮像システムであって、
前記交換レンズが、露光面が第１サイズである撮像装置用に設計されており、
前記撮像装置が、
第２サイズを有する露光面が設けられた撮像素子と、
前記交換レンズの装着後に、前記交換レンズから当該交換レンズに係るレンズ情報を取得する情報取得手段と、
前記レンズ情報に基づいて、前記第１サイズが前記第２サイズより小さいサイズ不一致を判定する判定手段と、
前記サイズ不一致である場合には、前記撮像素子の露光面で得られる全体画像を可逆圧縮又は非圧縮状態で、前記レンズ情報を付加して記憶する記憶手段と、
を備えることを特徴とする撮像システム。
【請求項７】
請求項１から請求項４のいずれかに記載の撮像装置と、再生装置とを有する画像再生システムであって、
前記再生装置が、
前記記憶手段から可逆圧縮又は非圧縮状態の全体画像と、前記レンズ情報とを読み出す読出手段と、
前記読出手段によって読み出された全体画像とレンズ情報とを用いて、当該全体画像に対して切り出し処理を含む画像処理を施すことで、前記交換レンズのイメージサークル不足によるケラレ部分の影響を排除した部分画像を生成する部分画像生成手段と、
前記部分画像生成手段によって生成された部分画像を可視的に出力する画像出力手段と、
を備えることを特徴とする画像再生システム。
【請求項８】
再生装置に含まれるコンピュータによって実行されることにより、前記再生装置を、請求項７に記載の再生装置として機能させるプログラム。
【発明の詳細な説明】
【技術分野】
【０００１】
本発明は、交換レンズが着脱可能な撮像装置の技術に関する。
【背景技術】
【０００２】
交換レンズが装着可能なデジタルカメラのボディ(カメラボディ)については、ＡＰＳサイズの撮像面(露光面)が設けられた撮像素子を搭載するものが多い。その反面、ＡＰＳサイズより大きい大判サイズ、例えば３５ｍｍフルサイズの撮像面が設けられた撮像素子を搭載するものも製品化されつつある。
【０００３】
しかし、大判サイズの撮像素子を搭載したカメラボディに、ＡＰＳサイズの撮像素子用に設計された交換レンズが装着されると、撮影画像にイメージサークル不足によるケラレが生じて適正な撮影が困難な状態となる。
【０００４】
そこで、このようなイメージサークルの大きさの変化に対処する電子カメラが提案されている（例えば、特許文献１）。この電子カメラでは、撮影時にいわゆるシェーディング補正に係るイメージサークル情報を画像信号に付加して記憶する。そして、外部情報機器等で画像信号に対してイメージサークル情報に基づいたシェーディング補正を施すようにしている。
【０００５】
【特許文献１】特開２０００−２４１８６８号公報
【発明の開示】
【発明が解決しようとする課題】
【０００６】
しかしながら、特許文献１で提案された電子カメラは、イメージサークルの大きさの変化に応じたシェーディング補正技術に関するものであり、イメージサークル不足によって発生する撮影画像のケラレに対処するものではなかった。
【０００７】
本発明は、上記課題に鑑みてなされたものであり、交換レンズの変更に伴って発生する撮影画像のケラレに対処することができる技術を提供することを目的とする。
【課題を解決するための手段】
【０００８】
上記の課題を解決するために、請求項１の発明は、露光面が第１サイズである撮像装置用に設計された交換レンズを着脱可能な撮像装置であって、第２サイズを有する露光面が設けられた撮像素子と、前記交換レンズの装着後に、前記交換レンズから当該交換レンズに係るレンズ情報を取得する情報取得手段と、前記レンズ情報に基づいて、前記第１サイズが前記第２サイズより小さいサイズ不一致を判定する判定手段と、前記サイズ不一致である場合には、前記撮像素子の露光面で得られる全体画像を可逆圧縮又は非圧縮状態で、前記レンズ情報を付加して記憶する記憶手段とを備えることを特徴とする。
【０００９】
また、請求項２の発明は、請求項１に記載の撮像装置であって、前記レンズ情報に基づいて、前記全体画像から、前記交換レンズのイメージサークル不足によるケラレ部分を除いた部分画像を抽出する抽出手段と、前記部分画像に対して不可逆圧縮処理を施した部分圧縮画像を生成する圧縮画像生成手段とを更に備え、前記記憶手段が、前記部分圧縮画像を記憶することを特徴とする。
【００１０】
また、請求項３の発明は、請求項２に記載の撮像装置であって、前記サイズ不一致である場合に、前記全体画像を可逆圧縮又は非圧縮状態で前記レンズ情報を付加して前記記憶手段に記憶する第１モードと、前記サイズ不一致である場合に、前記レンズ情報に基づいて前記全体画像から前記部分画像を抽出し、不可逆圧縮処理を施して前記記憶手段に記憶する第２モードとを含む複数モード間でモード切り替えを行うモード切替手段を更に備えることを特徴とする。
【００１１】
また、請求項４の発明は、請求項２に記載の撮像装置であって、前記サイズ不一致である場合に、前記全体画像を可逆圧縮又は非圧縮状態で前記レンズ情報を付加して前記記憶手段に記憶するとともに、前記レンズ情報に基づいて前記全体画像から前記部分画像を抽出し、不可逆圧縮処理を施して前記記憶手段に記憶するように制御する制御手段を更に備えることを特徴とする。
【００１２】
また、請求項５の発明は、撮像装置に含まれるコンピュータによって実行されることにより、前記撮像装置を、請求項１から請求項４のいずれかに記載の撮像装置として機能させるプログラムである。
【００１３】
また、請求項６の発明は、交換レンズと、前記交換レンズを着脱可能な撮像装置とを有する撮像システムであって、前記交換レンズが、露光面が第１サイズである撮像装置用に設計されており、前記撮像装置が、第２サイズを有する露光面が設けられた撮像素子と、前記交換レンズの装着後に、前記交換レンズから当該交換レンズに係るレンズ情報を取得する情報取得手段と、前記レンズ情報に基づいて、前記第１サイズが前記第２サイズより小さいサイズ不一致を判定する判定手段と、前記サイズ不一致である場合には、前記撮像素子の露光面で得られる全体画像を可逆圧縮又は非圧縮状態で、前記レンズ情報を付加して記憶する記憶手段とを備えることを特徴とする。
【００１４】
また、請求項７の発明は、請求項１から請求項４のいずれかに記載の撮像装置と、再生装置とを有する画像再生システムであって、前記再生装置が、前記記憶手段から可逆圧縮又は非圧縮状態の全体画像と、前記レンズ情報とを読み出す読出手段と、前記読出手段によって読み出された全体画像とレンズ情報とを用いて、当該全体画像に対して切り出し処理を含む画像処理を施すことで、前記交換レンズのイメージサークル不足によるケラレ部分の影響を排除した部分画像を生成する部分画像生成手段と、前記部分画像生成手段によって生成された部分画像を可視的に出力する画像出力手段とを備えることを特徴とする。
【００１５】
また、請求項８の発明は、再生装置に含まれるコンピュータによって実行されることにより、前記再生装置を、請求項７に記載の再生装置として機能させるプログラムである。
【発明の効果】
【００１６】
請求項１に記載の発明によれば、露光面が第１サイズである撮像装置用に設計された交換レンズの装着後に、撮像素子に設けられた露光面の第２サイズより第１サイズが小さいサイズ不一致と判定される場合には、撮像素子の露光面で得られる全体画像を可逆圧縮又は非圧縮状態で、交換レンズから取得したレンズ情報を付加して記憶するため、例えば、外部機器等において、記憶されている全体画像を読み出して、付加されていたレンズ情報に基づいてケラレを除去することができる。すなわち、交換レンズの変更に伴って発生する撮影画像のケラレに対処することができる。
【００１７】
また、請求項２に記載の発明によれば、レンズ情報に基づいて、撮像素子の露光面で得られる全体画像から交換レンズのイメージサークル不足によるケラレ部分を除いた部分画像を抽出し、不可逆圧縮処理を施して記憶するため、記憶される撮影画像にケラレが含まれないようにすることができる。
【００１８】
また、請求項３に記載の発明によれば、露光面が第１サイズである撮像装置用に設計された交換レンズの装着後に、撮像素子に設けられた露光面の第２サイズより第１サイズが小さいサイズ不一致と判定される場合に、撮像素子の露光面で得られる全体画像を可逆圧縮又は非圧縮状態でレンズ情報を付加して記憶するのか、レンズ情報に基づいて全体画像からケラレ部分を除いた部分画像を抽出して記憶するのかを切り替えることができるため、所望の手法によって、交換レンズの変更に伴って発生する撮影画像のケラレに対処することができる。
【００１９】
また、請求項４に記載の発明によれば、露光面が第１サイズである撮像装置用に設計された交換レンズの装着後に、撮像素子に設けられた露光面の第２サイズより第１サイズが小さいサイズ不一致と判定される場合に、撮像素子の露光面で得られる全体画像を可逆圧縮又は非圧縮状態でレンズ情報を付加して記憶するとともに、レンズ情報に基づいて全体画像からケラレ部分を除いた部分画像を抽出して記憶するため、煩雑な操作を伴うことなく、交換レンズの変更に伴って発生する撮影画像のケラレに対処することができる。
【００２０】
また、請求項５に記載の発明によれば、請求項１から請求項４のいずれかに記載の発明と同様な効果を得ることができる。
【００２１】
また、請求項６に記載の発明によれば、請求項１に記載の発明と同様な効果を得ることができる。
【００２２】
また、請求項７に記載の発明によれば、再生装置において、撮像装置で記憶された全体画像とレンズ情報とを用いて、全体画像に対して切り出し処理を含む画像処理を施すことで、ケラレ部分の影響を排除した部分画像を生成して可視的に出力するため、交換レンズの変更に伴って発生する撮影画像のケラレに対処することができる。
【００２３】
また、請求項８に記載の発明によれば、請求項７に記載の発明と同様な効果を得ることができる。
【発明を実施するための最良の形態】
【００２４】
以下、本発明の実施形態を図面に基づいて説明する。
【００２５】
＜画像再生システム＞
図１は、本発明の実施形態に係る画像再生システム１の概要を示す図である。
【００２６】
図１に示すように、画像再生システム１は、撮像システム１００と、画像再生装置５００とを備えている。撮像システム１００は、デジタルカメラとして構成され、記憶媒体であるメモリカード１７６が着脱自在な構成となっている。画像再生装置５００は、パーソナルコンピュータ（以下「パソコン」）等によって構成される。
【００２７】
そして、撮像システム１００からメモリカード１７６を脱着して、画像再生装置５００のカードスロットに装着することで、撮像システム１００で得られた画像データを、メモリカード１７６を介して、画像再生装置５００に転送することができる。また、図１では省略しているが、撮像システム１００の通信用Ｉ／Ｆ１７７（図５参照）に通信用ケーブルを接続し、当該通信用ケーブル介して、撮像システム１００で得られた画像データを、画像再生装置５００に転送することができる。画像再生装置５００における画像処理及び画像再生処理については後述する。
【００２８】
＜撮像システム＞
図２および図３は、本発明の実施形態に係る撮像システム１００の外観構成を示す図である。ここで、図２は、撮像システム１００の正面外観図であり、図３は、撮像システム１００の背面外観図である。また、図４は、図２のIII−III位置から見た断面を示す概念図である。
【００２９】
図２に示すように、撮像システム１００は、カメラ本体(カメラボディ)１０１と、このカメラ本体１０１の正面略中央に着脱可能に装着される交換レンズ１０２とを備えた一眼レフレックス型デジタルスチールカメラとして構成されている。
【００３０】
図２において、カメラ本体(撮像装置)１０１は、正面略中央に交換レンズ１０２が装着されるマウント部Ｍｔと、マウント部Ｍｔ付近に交換レンズを着脱するための着脱ボタン１４９と、正面左端部に撮影者が把持するためのグリップ部１１０と、ＡＦのための補助光を照射するＡＦ補助光発光部１６３とを備えている。
【００３１】
また、カメラ本体１０１は、その正面右上部に制御値を設定するための制御値設定ダイアル１４６と、正面左上部に撮影モードを切り換えるためのモード設定ダイアル１４２と、グリップ部１１０の上面に露光の開始を指示するためのレリーズボタン１４７とを備えており、フラッシュ撮影の際に被写体を照射する光を発する例えばポップアップ式のフラッシュ１６２を内蔵している。マウント部Ｍｔには、装着された交換レンズ１０２内のＣＰＵ１８１との電気的接続を行うためのコネクタＥＣと機械的接続を行うためのカプラＭＣとが設けられている。
【００３２】
コネクタＥＣは、ＣＰＵ１８１を介し、交換レンズ１０２に内蔵されたレンズＲＯＭ（リードオンリメモリ）１８２から当該レンズに関する型式や型番などのレンズ情報をカメラ本体１０１内の全体制御部１２１に送信したり、レンズ位置検出部１２３によって検出されたフォーカスレンズ１０３等のレンズ位置を全体制御部１２１に送出したりするためのものである。なお、全体制御部１２１は、レンズＲＯＭ１８２から取得したレンズ情報を内蔵するＲＡＭ等に記憶する。
【００３３】
カプラＭＣは、カメラ本体１０１内に設けられたフォーカスレンズ駆動用のモータＭ１の駆動力を交換レンズ１０２内のレンズ駆動機構１０４に伝達するもので、レンズ駆動機構１０４によりフォーカスレンズ１０３が光軸方向ＬＸに移動することとなる。
【００３４】
図２において、グリップ部１１０の内部には電池収納室とカード収納室とが設けられている。電池収納室にはカメラの電源として、例えば、４本の単３形乾電池が収納されており、カード収納室には撮影画像の画像データを記憶するためのメモリカード１７６が着脱可能に収納されるようになっている。
【００３５】
モード設定ダイアル１４２は、カメラの各種モード（静止画を撮影する静止画撮影モード、動画を撮影する動画撮影モード、撮影した画像を再生する再生モード、および外部機器との間でデータ交信を行う通信モード等を含む）を設定するためのものである。
【００３６】
レリーズボタン１４７は、途中まで押し込んだ「半押し状態Ｓ１」の操作と、さらに押し込んだ「全押し状態Ｓ２」の操作とが可能に構成された２段階のスイッチとなっている。静止画撮影モードにおいて、レリーズボタン１４７が半押しされると、被写体の静止画を撮影するための準備動作（露出制御値の設定や焦点調節等の準備動作）が実行され、レリーズボタン１４７が全押しされると、撮影動作（後述する撮像素子１１６を露光し、その露光によって得られた画像信号に所定の画像処理を施す一連の動作）が実行される。
【００３７】
図３において、カメラ本体１０１の背面略中央上部には、ファインダ窓１０８が設けられている。ファインダ窓１０８には、交換レンズ１０２からの被写体像が導かれる。撮影者は、ファインダ窓１０８を覗くことによって、被写体を視認することができる。より具体的には、交換レンズ１０２を通過してきた被写体像を、ミラー機構１２６(図５参照)で上方に反射することで、焦点板に被写体像を結像し、ペンタプリズムを通した像を接眼レンズを介して見ることで、被写体像を視認することができる。なお、ファインダ窓１０８内には、シャッター速度や絞り値やその他撮像システム１００の状態を示す各種情報を表示する液晶表示部が内蔵されている。よって、撮影者は、ファインダ窓１０８を覗くことで、撮像システム１００の各種状態を確認することができる。
【００３８】
カメラ本体１０１の背面の略中央には、背面モニタ１０７が設けられている。背面モニタ１０７は、例えばカラー液晶ディスプレイとして構成されており、撮影条件等を設定するためのメニュー画面を表示したり、再生モードにおいてメモリカード１７６に記憶された撮影画像を再生表示したりするものである。
【００３９】
背面モニタ１０７の左上部にはメインスイッチ１４１が設けられている。メインスイッチ１４１は２点スライドスイッチからなり、接点を左方の「ＯＦＦ」位置に設定すると、電源がオフになり、接点を右方の「ＯＮ」位置に設定すると、電源がオンになる。
【００４０】
背面モニタ１０７の右側には方向選択キー１４４が設けられている。この方向選択キー１４４は円形の操作ボタンを有し、この操作ボタンにおける上下左右の４方向の押圧操作と、右上、左上、右下及び左下の４方向の押圧操作とが、それぞれ検出されるようになっている。なお、方向選択キー１４４は、上記８方向の押圧操作とは別に、中央部のプッシュボタンの押圧操作も検出されるようになっている。
【００４１】
背面モニタ１０７の左方位置には、メニュー画面の設定、画像の削除などを行うための複数のボタンからなる設定ボタン群１４３が設けられている。また、静止画撮影モードに設定されている場合に、設定ボタン群１４３を適宜操作することで、カメラ本体１０１を、後述するＲＡＷデータ記憶モード、トリミングデータ記憶モード、及びＲＡＷ／トリミングデータ記憶モードのうちの何れかの記憶モードに設定することができる。
【００４２】
なお、以下では、ＲＡＷデータ記憶モードを「ＲＡＷモード」と、トリミングデータ記憶モードを「トリミングモード」と略称する。また、ＲＡＷ／トリミングデータ記憶モードは、ＲＡＷモードとリミングモードの両方の記憶モードにおける動作を併用する記憶モードであるため、以下「併用モード」と称する。
【００４３】
また、設定ボタン群１４３を適宜操作することで、後述する画像データの記憶処理を行う際の圧縮率Ｋを１／８又は１／２０に選択的に設定することができる。
【００４４】
図５は、撮像システム１００の機能構成を示すブロック図である。
【００４５】
撮像システム１００において、全体制御部１２１は操作部１４０から入力される撮影者からの指示やレンズ位置検出部１２３により検出されるフォーカスレンズ１０３の位置等に基づき、撮像システム１００を統括的に制御するメイン・マイコンである。
【００４６】
操作部１４０には、上記のメインスイッチ１４１やモード設定ダイアル１４２、設定ボタン群１４３、レリーズボタン１４７等で構成されている。
【００４７】
全体制御部１２１は、交換レンズ１０２内のＣＰＵ１８１を用い、レンズ位置検出部１２３により検出されたフォーカスレンズ１０３等のレンズ位置を検出する。そして、全体制御部１２１は、フォーカス制御部１２４を用いてモータＭ１を制御することにより、交換レンズ１０２内のフォーカスレンズ１０３を駆動する。ここでは、位相差ＡＦモジュール１１４により求められたデフォーカス量に応じてフォーカスレンズ１０３を移動させることにより、焦点制御を行うことが可能となる。
【００４８】
全体制御部１２１は、ミラー制御部１２５を用いてモータＭ２を制御することにより、ミラー機構１２６内のクイックリターンミラー等を駆動する。
【００４９】
全体制御部１２１は、シャッター制御部１２７を用いてモータＭ３を制御することにより、シャッター１１５を駆動する。
【００５０】
全体制御部１２１は、タイミング制御回路１２８を用いて、例えばＣＣＤとして構成される撮像素子１１６、信号処理部１２９、およびＡ／Ｄ変換部１３０を制御する。
【００５１】
撮像素子１１６は、例えば３５ｍｍフルサイズのフィルムに相当する撮像面のサイズ（３６ｍｍ×２４ｍｍ）を有しており、撮像素子１１６で撮像されたアナログ信号の画像は、信号処理部１２９およびＡ／Ｄ変換部１３０においてデジタル信号の画像データに変換される。
【００５２】
Ａ／Ｄ変換部１３０は、通常、画像処理部１５０にデジタル画像データを出力する。但し、カメラ本体１０１がＲＡＷモード又は併用モードに設定され、かつ後述するサイズ不一致であると判定された場合は、Ａ／Ｄ変換部１３０から全体制御部１２１に、デジタル画像処理が施されていないデジタル画像データ（以下「ＲＡＷ画像データ」とも称する）が出力される。
【００５３】
画像処理部１５０に入力された画像データは、画像処理部１５０において、黒レベル補正回路１５１、ＷＢ補正回路１５２およびγ補正回路１５３で各画像処理が行われ、画像メモリ１５４に記憶される。
【００５４】
画像処理部１５０において処理された画像データは、ＶＲＡＭ１７１を用いて背面モニタ１０７において表示される。
【００５５】
全体制御部１２１は、交換レンズ１０２からレンズ情報を取得する。そして、カメラ本体１０１が、トリミングモード又は併用モードに設定され、かつレンズ情報に基づいて後述するレンズ不一致であると判定された場合は、画像メモリ１５４に記憶された画像データ（画像）に対して一部分の領域画像を切り出す処理（トリミング処理）を行う。このトリミング処理は、後述するケラレＫｒ（図８参照）を排除するように画像データの中央付近の領域画像（部分画像）を切り出す抽出処理である。なお、トリミング処理後の画像データを、ＶＲＡＭ１７１を用いて背面モニタ１０７において表示するようにしても良い。
【００５６】
また、全体制御部１２１は、撮影動作時には、必要に応じて、設定された圧縮率（Ｋ＝１／８又は１／２０）に従った、２次元ＤＣＴ変換、ハフマン符号化等のＪＰＥＧ方式等の圧縮処理（すなわち不可逆圧縮処理）により、圧縮画像データ（例えば、２５６０×１９２０画素）を生成する。そして、圧縮画像データは、カードＩ／Ｆ１７５を用いてメモリカード１７６に記憶される。なお、トリミング処理によって得られた部分画像に対しても不可逆圧縮処理が施されるが、以下では、この不可逆圧縮処理後の部分画像の画像データを「部分圧縮画像データ（部分圧縮画像）」とも称する。
【００５７】
画像データをメモリカード１７６に記憶する際には、いわゆるサムネイル画像データ（例えば、９０×６０画素）とタグ情報（コマ番号、露出値、シャッタスピード、圧縮率Ｋ、撮影日、シーン情報、画像の判定結果などの情報）とが生成されて、圧縮画像データとともに記憶される。
【００５８】
図６は、メモリカード１７６の記憶内容を例示する模式図である。
【００５９】
図６に示すように、例えば、メモリカード１７６には、Ｅｘｉｆ形式の多数の画像ファイル（図中では２３０コマ）が格納されている。そして、各画像ファイルには、圧縮画像データに対応する高解像度の画像データと、サムネイル画像データと、タグ情報とが一組となって格納されている。
【００６０】
但し、カメラ本体１０１が、ＲＡＷモード又は併用モードに設定され、かつ後述するサイズ不一致にあると判定された場合、全体制御部１２１が、ＲＡＷ画像データをレンズ情報を付加した形式で、カードＩ／Ｆ１７５を用いてメモリカード１７６に記憶する。このときは、図６で示した１つの画像ファイルに格納される高解像度の画像データとしてＲＡＷ画像データが格納され、更に、タグ情報には、レンズ情報が含まれて格納される。
【００６１】
また、メモリカード１７６に記憶された画像データは、ＵＳＢ等で規格化された通信用Ｉ／Ｆ１７７を用いて外部へ送信することができる。
【００６２】
全体制御部１２１は、必要に応じて、フラッシュ回路１６１を介してフラッシュ１６２を発光させたり、ＡＦ補助光発光部１６３を発光させたりする。
【００６３】
また、全体制御部１２１は、静止画撮影モードにおいて、設定ボタン群１４３に対するユーザの操作に応答し、カメラ本体１０１をＲＡＷモード、トリミングモード、及び併用モードのうちの何れかの記憶モードに設定する。
【００６４】
なお、全体制御部１２１における各種機能および全体制御部１２１による撮像システム１００全体の制御は、全体制御部１２１内のＲＯＭ等に格納されるプログラムを全体制御部１２１内のＣＰＵ等が読み込んで実行することで実現される。
【００６５】
＜不適切な交換レンズ１０２の装着について＞
撮像システム１００においては、マウント部Ｍｔが適合する交換レンズ１０２であればカメラ本体１０１への装着が可能となっているが、以下で説明する不適切な交換レンズ１０２が装着される場合がある。
【００６６】
カメラ本体１０１における撮像素子１１６の撮像面サイズに適合する交換レンズ１０２が装着される場合には、例えば図７に示すように交換レンズ１０２で規定されるイメージサークルＩＣａに撮像素子１１６の撮像面１１６ｆが内包されるため、適正な撮影が可能である。
【００６７】
一方、撮像素子１１６の撮像面サイズに適合しない交換レンズ１０２、例えば上記のフルサイズ(３６ｍｍ×２４ｍｍ)より小さいＡＰＳサイズの撮像面(２３ｍｍ×１６ｍｍ)用に設計された交換レンズ１０２が装着される場合には、例えば図７に示すように交換レンズ１０２で規定されるイメージサークルＩＣｂに撮像素子１１６の撮像面１１６ｆが内包さないようになる。これにより、撮像素子１１６によって取得された画像においては、例えば図８に示す画像Ｇｏのように画像の長手方向の端部（特に画像の四隅部分）の輝度が低下して画像周辺部にケラレＫｒが生じることとなる。
【００６８】
このようなケラレＫｒの発生に対し、画像再生システム１では、ケラレＫｒが発生するような条件下で、撮像システム１００においてケラレＫｒを含まない画像を生成するか、又は画像再生装置５００においてケラレＫｒを含まない画像を生成することにより、ケラレＫｒに対処している。なお、図８に示す画像ＧｏからケラレＫｒを含まない画像を生成するためには、撮像素子１１６の有効画素に相当する撮像面のうちの中央付近の領域１１６ｇ（図７）から得られる画像信号を採用すれば良い。
【００６９】
以下、画像再生システム１におけるケラレＫｒについての対処動作を説明する。なお、画像再生システム１の動作は、主に、撮像システム１００における動作と、画像再生装置５００における動作とに分けられる。よって、以下では、撮像システム１００における動作を説明した後に、画像再生装置５００における動作について説明する。
【００７０】
＜撮像システムにおける動作＞
＜記憶モードの切替動作＞
図９は、静止画撮影モードにおけるＲＡＷモード、トリミングモード、及び併用モードといった３つの記憶モードの間におけるモード切替動作を示すフローチャートである。本動作フローは、全体制御部１２１の制御下で実現され、モード設定ダイアル１４２が操作されることで、撮像システム１００が静止画撮影モードに設定されると、図９のステップＳ１に進む。
【００７１】
ステップＳ１では、記憶モードの変更指示があったか否かが判定される。ここでは、設定ボタン群１４３を適宜操作することにより、記憶モードの変更指示があるまで、ステップＳ１の判定が繰り返され、変更指示があると、ステップＳ２に進む。
【００７２】
ステップＳ２では、どの記憶モードへの変更指示があったかが判定される。ここで、ＲＡＷモードへの変更指示があったと判定されれば、ステップＳ３においてカメラ本体１０１がＲＡＷモードに設定され、本動作フローが終了される。また、トリミングモードへの変更指示があったと判定されれば、ステップＳ４においてカメラ本体１０１がトリミングモードに設定され、本動作フローが終了される。また、併用モードへの変更指示があったと判定されれば、ステップＳ５においてカメラ本体１０１が併用モードに設定され、本動作フローが終了される。
【００７３】
＜ＲＡＷモードにおける動作＞
図１０は、ＲＡＷモードにおける動作フローを示すフローチャートである。本動作フローは、全体制御部１２１の制御下で実現され、図９の動作フローにおいて、カメラ本体１０１がＲＡＷモードに設定されると、図１０の動作フローが実行される。
【００７４】
ステップＳ１１では、交換レンズ１０２が装着されていることが検出される。ここでは、例えばコネクタＥＣを介してＣＰＵ１８１との通信が可能か否かが判断されることで、交換レンズ１０２がマウント部Ｍｔに装着されていることが判定される。
【００７５】
ステップＳ１２では、ＲＯＭ１８２に格納される交換レンズ１０２の情報（レンズ情報）がカメラ本体１０１の全体制御部１２１で受信される。
【００７６】
ステップＳ１３では、ステップＳ１２で受信した交換レンズ１０２の情報に基づき、カメラ本体１０１内の撮像素子１１６の撮像面サイズと、交換レンズ１０２が装着されるべきカメラボディ内の撮像素子の撮像面サイズとの不一致を判定する。すなわち、露光面が所定サイズ(第１サイズ)となるカメラボディ用に設計された交換レンズ１０２の装着後に、この所定サイズが撮像素子１１６が設けられた撮像面のサイズ(第２サイズ)より小さいサイズ不一致に該当するか否かが判断される。
【００７７】
具体的には、ステップＳ１２で例えば交換レンズ１０２の型式や型番をレンズの固有情報として受信した場合には、この固有情報から交換レンズ１０２が適合する撮像素子の撮像面サイズを把握して撮像素子１１６の撮像面サイズと比較する。ここでは、例えば交換レンズの型番等と、それに適合する撮像素子の撮像面サイズとを記述したデータテーブルを全体制御部１２１のメモリに格納しておけば、このデータテーブルを参照することにより交換レンズの型番等から撮像素子のサイズが把握できることとなる。
【００７８】
ステップＳ１３において、撮像素子のサイズが不一致である場合には、ステップＳＴ１４に進み、一致する場合には、ステップＳ１７に進む。
【００７９】
ステップＳ１４では、ＲＡＷデータをメモリカード１７６に記憶するように設定される。つまり、撮影動作時においてＡ／Ｄ変換部１３０から全体制御部１２１に入力されるＲＡＷ画像データを圧縮処理を施すことなくメモリカード１７６に記憶するような設定が行われる。
【００８０】
ステップＳ１５では、レリーズボタン１４７がユーザによって全押しされると、撮影動作が行われる。これにより、撮像素子１１６で被写体に係る画像信号が取得される。
【００８１】
ステップＳ１６では、ステップＳ１５において撮像素子１１６によって取得された画像信号に基づくＲＡＷ画像データが、交換レンズ１０２のレンズＲＯＭ１８２から取得されたレンズ情報とともにメモリカード１７６に記憶される。具体的には、図６で示した１つの画像ファイルに格納される高解像度の画像データとして、ＲＡＷ画像データが格納され、タグ情報に、レンズ情報及び撮像素子１１６の撮像面サイズに係る情報が含まれて格納される。
【００８２】
ステップＳ１７では、ステップＳ１５と同様な動作が行われる。
【００８３】
ステップＳ１８では、通常の記憶処理が行われる。つまり、ステップＳ１７において撮像素子１１６によって取得された画像信号に対して、各種アナログ処理及びデジタル処理が施され、圧縮処理が施されてメモリカード１７６に記憶される。
【００８４】
＜トリミングモードにおける動作＞
図１１は、トリミングモードにおける動作フローを示すフローチャートである。本動作フローは、全体制御部１２１の制御下で実現され、図９の動作フローにおいて、カメラ本体１０１がトリミングモードに設定されると、図１１の動作フローが実行される。
【００８５】
ステップＳ２１〜Ｓ２３では、図１０のステップＳ１１〜Ｓ１３の処理と同様な処理が行われる。なお、ステップＳ２３において、撮像素子のサイズが不一致である場合には、ステップＳＴ２４に進み、一致する場合には、ステップＳ２８に進む。
【００８６】
ステップＳ２４では、トリミング処理後の画像データ（トリミング画像データ）をメモリカード１７６に記憶するように設定される。具体的には、撮影動作時において画像メモリ１５４に格納される画像データに相当する全体画像から、中央付近の所定範囲のレンズ情報に応じた領域から部分画像を抽出するトリミング処理を行い、圧縮処理を施してメモリカード１７６に記憶するような設定を行う。このとき、例えば、レンズ情報が交換レンズ１０２の型式や型番をレンズの固有情報である場合には、交換レンズ１０２が適合する撮像素子の撮像面サイズを把握して、撮像素子１１６の撮像面サイズと比較することで、トリミングによって抽出する中央付近の領域の大きさ及び位置（トリミング条件）が設定される。
【００８７】
ステップＳ２５では、図１０のステップＳ１５と同様な処理が行われる。
【００８８】
ステップＳ２６では、ステップＳ２５において撮像素子１１６によって取得され、各種アナログ及びデジタル処理が施された画像データを対象として、ステップＳ２４において設定されたトリミング条件に基づくトリミング処理が行われる。
【００８９】
図１２及び図１３は、画像データのトリミング処理を説明する図である。ここでは、便宜的に画像データに対応する画像を示して説明を行う。
【００９０】
図１２に示すように、ステップＳ２５で取得される画像データに対応する全体画像Ｇ１では、いわゆるイメージサークル不足によって生じるケラレＫｒが生じている。そこで、ケラレＫｒを除いた中央付近の領域Ｔａから部分画像が抽出されることで、図１３に示すようなケラレＫｒがない良好な画像Ｇ２が取得される。
【００９１】
ステップＳ２７では、ステップＳ２６で得られた画像データに対してＪＰＥＧ形式等の圧縮処理が施されてメモリカード１７６に記憶される。
【００９２】
ステップＳ２８及びＳ２９では、図１０のステップＳ１７及びＳ１８と同様な動作が行われる。
【００９３】
＜併用モードにおける動作＞
図１４は、併用モードにおける動作フローを示すフローチャートである。本動作フローは、全体制御部１２１の制御下で実現され、図９の動作フローにおいて、カメラ本体１０１が併用モードに設定されると、図１４の動作フローが実行される。
【００９４】
ステップＳ３１〜Ｓ３３では、図１０のステップＳ１１〜Ｓ１３の処理と同様な処理が行われる。なお、ステップＳ３３において、撮像素子のサイズが不一致である場合には、ステップＳＴ３４に進み、一致する場合には、ステップＳ３９に進む。
【００９５】
ステップＳ３４では、ＲＡＷデータをメモリカード１７６に記憶するとともに、トリミングデータをメモリカード１７６に記憶するように設定される。つまり、ステップＳ１４及びＳ２４の双方の処理と同様な処理が行われる。
【００９６】
ステップＳ３５では、図１０のステップＳ１５と同様な処理が行われる。
【００９７】
ステップＳ３６では、図１０のステップＳ１６と同様な処理が行われる。
【００９８】
ステップＳ３７及びＳ３８では、図１１のステップＳ２６及びＳ２７と同様な処理が行われる。
【００９９】
ステップＳ３９及びＳ４０では、図１０のステップＳ１７及びＳ１８と同様な動作が行われる。
【０１００】
＜画像再生装置における動作＞
図１５は、画像再生装置５００の機能構成を例示するブロック図である。
【０１０１】
図１５に示すように、画像再生装置５００は、主に、処理部５１１と、キーボードやマウス等によって構成される操作部５１２と、ＣＲＴ画面等によって構成される表示部５１３とを備えている。
【０１０２】
処理部５１１は、上記の操作部５１２および表示部５１３に接続する入出力Ｉ／Ｆ５１４と、入出力Ｉ／Ｆ５１４に電気的に接続する制御部５１５とを備えている。また、処理部５１１は、制御部５１５に電気的に接続する記憶部５１６と、入出力Ｉ／Ｆ５１７とを備えている。
【０１０３】
入出力Ｉ／Ｆ５１４は、操作部５１２および表示部５１３と制御部５１５との間でデータの送受信をコントロールするためのインターフェースである。
【０１０４】
記憶部５１６は、例えばハードディスク等を備えて構成されており、画像再生装置５００を実現するパソコンの基本動作を規定するオペレーティングシステム（以下では、「ＯＳ」とも称する）５６１がインストールされる。また、記憶部５１６には、ＯＳ５６１の管理下で実行される画像処理・再生用のプログラム５６２もインストールされている。
【０１０５】
入出力Ｉ／Ｆ５１７は、処理部５１１の前面に配置された各種ドライブを介して、記憶媒体である光ディスク４７６やメモリカード１７６に対するデータの入出力を行うためのインターフェースである。
【０１０６】
制御部５１５は、ＣＰＵ５１５ａおよびメモリ５１５ｂを有しており、パソコン、すなわち画像再生装置５００の動作を統括制御する。また、画像再生装置５００では、制御部５１５が画像処理・再生用のプログラム５６２を読み込んで実行するとともに、メモリカード１７６に記憶された各種データ等を読み込むことで、後述する画像処理及び画像再生処理が実現される。
【０１０７】
なお、制御部５１５は、光ディスク４７６やメモリカード１７６に記録されている各種データやプログラムを入出力Ｉ／Ｆ５１７を介して読み込んで、各種制御を実行することもできる。
【０１０８】
以下、画像再生装置５００における画像処理及び画像再生処理の動作について説明する。
【０１０９】
図１６は、画像再生装置５００における画像処理及び画像再生処理の動作フローを示すフローチャートである。また、図１７から図２３は、画像処理及び画像再生処理の動作において表示部５１３に表示される画面及び画像を例示している。
【０１１０】
以下、図１７から図２３を参照しつつ、図１６の動作フローについて説明する。
【０１１１】
図１６で示す動作フローは、制御部５１５の制御によって実現される。まず、制御部５１５が画像処理・再生用のプログラム５６２を読み込んで、画像処理及び画像再生処理の動作が開始されると、図１６のステップＳ５１に進む。
【０１１２】
ステップＳ５１では、処理対象となるＲＡＷ画像データの指定があったか否かを判定する。このとき、ケラレに対処するための画像処理及び画像再生処理を実現するための画面（ケラレ対処画面）ＫＧが表示部５１３に表示される。ここでは、ケラレ対処画面ＫＧ上で画像データの指定があるまで、ステップＳ５１の処理を繰り返し、画像データの指定があればステップＳ５２に進む。
【０１１３】
図１７は、ケラレ対処画面ＫＧを例示する模式図である。図１７に示すように、ケラレ対処画面ＫＧは、主に、画像ファイル名のリストが表示される領域（リスト表示領域）Ａ１、複数の画像処理のうちから選択的に１つの画像処理の実行を指示するコマンドの表示が列挙される領域（コマンド領域）Ａ２、及び画像処理の対象となる画像が表示される領域（画像表示領域）Ａ３によって構成されている。
【０１１４】
例えば、制御部５１５が、メモリカード１７６内のデータを参照することで、リスト表示領域Ａ１には、図１８に示すように、メモリカード１７６に格納されたＲＡＷ画像データを含む画像ファイルのファイル名（ここでは、ML0001.raw，・・・）のリストが表示される。そして、ユーザーが操作部５１２を適宜操作して所望のファイル名にカーソルＣＳ１を合わせて選択することで、このリスト表示された複数の画像ファイルから、画像処理を施したい所望の画像ファイル（すなわち、ＲＡＷ画像データ）を指定することができる。なお、図１８では、リスト表示領域Ａ１にファイル名と撮影日時のみが表示されているが、これに限られず、例えば、ファイル名と併せて各画像ファイルに格納されるサムネイル画像データが可視的に出力されれば、画像ファイルの指定が容易となる。
【０１１５】
ステップＳ５２では、ステップＳ５１の処理を繰り返している際に指定された画像ファイルに格納されたＲＡＷ画像データに基づいて、全体画像が画像表示領域Ａ３に表示される。この全体画像では、図８に示すように、全体画像の長手方向の端部（特に画像の四隅部分）の輝度が低下して画像周辺部にケラレＫｒが生じている。
【０１１６】
ステップＳ５３では、処理対象となるＲＡＷ画像データを変更する指示があったか否か判定する。ここでは、ユーザーが操作部５１２を適宜操作することで、処理対象となる画像データが変更されれば、ステップＳ５２に戻り、変更指示後のＲＡＷ画像データに基づく全体画像が表示される。また、ＲＡＷ画像データを変更する指示がなければステップＳ５４に進む。
【０１１７】
ステップＳ５４では、画像処理を実行するコマンドの指定があったか否かを判定する。ここでは、ケラレ対処画面ＫＧのコマンド領域Ａ２において、コマンドが指定されなければ、ステップＳ５３に戻り、コマンドが指定されれば、ステップＳ５５に進む。
【０１１８】
コマンド領域Ａ２には、図１９に示すように、複数の画像処理の名称すなわち実行コマンドを示す表示（ここでは、通常トリミング、円形トリミング、拡大トリミング、・・・）が列挙される。そして、ユーザーが操作部５１２を適宜操作して所望の画像処理の実行コマンドの表示にカーソルＣＳ２を合わせて選択することで、所望の画像処理の実行を指定することができる。
【０１１９】
ステップＳ５５では、画像表示領域Ａ３に表示された全体画像を対象として、ステップＳ５３からステップＳ５４にかけて指定されたコマンドに応じた画像処理を実行する。このとき、各種トリミング処理の実行が指定された場合には、処理対象となるＲＡＷ画像データが格納されている画像ファイルのタグ情報に含まれるレンズ情報及び撮像素子１１６の撮像面サイズに係る情報が参照されることで、ケラレＫｒの領域等が把握される。そして、ケラレＫｒの位置等に応じたトリミング処理が実行される。
【０１２０】
例えば、図１９に示すコマンド領域Ａ２で、通常トリミングが指定されると、図１２に示すように、全体画像Ｇ１のうち、ケラレＫｒを除いた中央付近の長方形の領域Ｔａから部分画像が抽出されることで、図１３に示すようなケラレＫｒがない良好な画像Ｇ２が取得される。
【０１２１】
また、図１９に示すコマンド領域Ａ２で、円形トリミングが指定されると、図２０に示すように、全体画像Ｇ１のうち、ケラレＫｒを除いた中央付近の領域ＣＦから部分画像が抽出されることで、図２１に示すようなケラレＫｒがない良好な画像Ｇ３が取得される。
【０１２２】
この画像Ｇ３は、全体画像Ｇ１のうち、ケラレＫｒの部分を除いたその他の領域全体をほぼ抽出したものであり、上記画像Ｇ２（図１３）と比較してより広範囲を捉えた画像となっている。よって、ユーザーの意図に沿って、ケラレＫｒを除きつつも、より広範囲を捉えた画像を取得することができる。
【０１２３】
また、図１９に示すコマンド領域Ａ２で、拡大トリミングが指定されると、図２２に示すように、全体画像Ｇ１のうち、中央付近の長方形の領域Ｔｂから部分画像が抽出される。このとき、領域Ｔｂの四隅がイメージサークル不足に起因した輝度の低いケラレＫｒの一部領域ＬＢを含んでいる。よって、そのまま領域Ｔｂから部分画像を抽出すると、ケラレＫｒを完全に排除することができない。
【０１２４】
しかしながら、ケラレＫｒのうちの画像中央に比較的位置が近い領域では、輝度の低下が比較的小さい。
【０１２５】
そこで、拡大トリミングの処理では、一部領域ＬＢについては、輝度の不足分を補う輝度補正を行う。この輝度補正の条件は、レンズ情報から得られる情報から決定しても良いし、一部領域ＬＢよりも内側のケラレＫｒに含まれない領域の輝度情報から決定しても良い。このような処理により、ケラレＫｒの影響を排除することができ、結果として図２３に示すようなケラレＫｒの影響を排除した良好な画像Ｇ４が取得される。
【０１２６】
この画像Ｇ４は、全体画像Ｇ１のうち、ケラレＫｒのうちの比較的輝度不足が小さな一部領域ＬＢも含めた領域を抽出したものであり、上記画像Ｇ２（図１３）と比較してより広範囲を捉えた画像となっている。よって、ユーザーの意図に沿って、ケラレＫｒを除きつつも、より広範囲を捉えた画像を取得することができる。
【０１２７】
ステップＳ５６では、ステップＳ５５におけるトリミング処理等を含む画像処理によって得られた画像データ（画像）を画像表示領域Ａ３に可視的に出力し、本動作フローを終了する。
【０１２８】
以上のように、本発明の実施形態に係る画像再生システム１では、カメラ本体１０１において、露光面が第１サイズである撮像装置用に設計された交換レンズを装着する。その装着後に、撮像素子１１６に設けられた露光面の第２サイズより第１サイズが小さいサイズ不一致と判定される場合には、撮像素子１１６の露光面で得られる全体画像に相当するＲＡＷ画像データを、交換レンズから取得したレンズ情報を付加してメモリカード１７６に記憶する。このため、例えば、パソコン等の外部の画像再生装置５００において、メモリカード１７６からＲＡＷ画像データとレンズ情報とを読み出し、レンズ情報に基づいてＲＡＷ画像データのケラレＫｒを除去することができる。したがって、交換レンズの変更に伴って発生する撮影画像のケラレに対処することができる。
【０１２９】
なお、ＲＡＷ画像データに対してＪＰＥＧ方式等の不可逆圧縮処理を施さないのは、ケラレＫｒの影響で、圧縮処理において、ケラレＫｒの近傍に位置する画素値が大きく変化してしまうためである。
【０１３０】
また、レンズ情報に基づいて、撮像素子１１６の露光面で得られる全体画像から交換レンズのイメージサークル不足によるケラレ部分Ｋｒを除いた部分画像を抽出して、ＪＰＥＧ方式等の不可逆圧縮処理を施してメモリカード１７６に記憶する。このため、メモリカード１７６に記憶される撮影画像にケラレが含まれないようにすることができる。
【０１３１】
また、ＲＡＷモードとトリミングモードとを含む複数の記憶モードの間でモード切り替えを行うことができるため、所望の手法によって、交換レンズの変更に伴って発生する撮影画像のケラレに対処することができる。
【０１３２】
また、ＲＡＷモードとトリミングモードの両機能を実行することができる併用モードに設定することもできるため、所望のケラレ対策を講ずるために、ＲＡＷモードとトリミングモードの両方の撮影を別個に行う必要性がない。したがって、煩雑な操作を伴うことなく、交換レンズの変更に伴って発生する撮影画像のケラレに対処することができる。
【０１３３】
また、画像再生装置５００において、レンズ情報に基づき、ＲＡＷ画像データに基づく全体画像に対して所望のトリミング処理を含む画像処理を施すことで、ケラレ部分の影響を排除した部分画像を生成して可視的に出力することができる。したがって、交換レンズの変更に伴って発生する撮影画像のケラレに対処することができる。
【０１３４】
＜変形例＞
以上、この発明の実施形態について説明したが、この発明は上記説明した内容のものに限定されるものではない。
【０１３５】
◎例えば、上述した実施形態では、ＲＡＷモードにおいて、サイズ不一致である場合には、Ａ／Ｄ変換部１３０から得られるデジタル画像データをＲＡＷ画像データとして、レンズ情報を付加してメモリカード１７６に記憶したが、これに限られず、例えば、不可逆圧縮処理を施すことなくデジタル画像データをレンズ情報とともにメモリカード１７６に記憶するようにしても良い。
【０１３６】
具体的には、黒レベル補正、ＷＢ補正およびγ補正等の各種デジタル画像処理に含まれる少なくとも一部の処理が施されても良いし、いわゆる可逆圧縮処理が施されても良い。つまり、ＲＡＷモードにおいて、サイズ不一致である場合には、撮像素子１１６の露光面で得られる全体画像を可逆圧縮又は非圧縮状態で、レンズ情報を付加してメモリカード１７６に記憶するようにしても良い。このような構成としても、上記実施形態と同様な効果を得ることができる。
【０１３７】
◎また、上記実施形態では、静止画撮影モードに設定されている場合に、ＲＡＷモード、トリミングモード、及び併用モードに設定することができたが、これに限られず、例えば、動画撮影モードに設定されている場合にも、ＲＡＷモード、トリミングモード、及び併用モードに設定することができるようにしても良い。
【０１３８】
◎また、上記実施形態では、撮像システム１００において、撮影時に、画像データがメモリカード１７６に記憶されたが、これに限られず、例えば、画像データは、メモリカード１７６に記憶することなく、ＵＳＢ等で規格化された通信用Ｉ／Ｆ１７７を用いて外部へ送信されるようにしても良い。
【０１３９】
◎また、上記実施形態では、撮像素子１１６はＣＣＤであったが、これに限られず、例えば、Ｃ−ＭＯＳセンサ等の他の撮像素子であっても良い。
【図面の簡単な説明】
【０１４０】
【図１】本発明の実施形態に係る画像再生システムの概要を例示する図である。
【図２】本発明の実施形態に係る撮像システムの外観構成を示す正面図である。
【図３】本発明の実施形態に係る撮像システムの外観構成を示す背面図である。
【図４】図２のIII−III位置から見た断面を示す概念図である。
【図５】撮像システムの機能構成を示すブロック図である。
【図６】メモリカードの記憶内容を例示する模式図である。
【図７】不適切な交換レンズの装着について説明するための図である。
【図８】不適切な交換レンズが装着された際に取得される撮影画像を示す図である。
【図９】記憶モードの切替動作フローを示すフローチャートである。
【図１０】ＲＡＷモードにおける動作フローを示すフローチャートである。
【図１１】トリミングモードにおける動作フローを示すフローチャートである。
【図１２】撮影画像のトリミング処理を説明する図である。
【図１３】撮影画像のトリミング処理を説明する図である。
【図１４】併用モードにおける動作フローを示すフローチャートである。
【図１５】画像再生装置の機能構成を示すブロック図である。
【図１６】画像再生装置における画像処理及び画像再生に係る動作フローを示すフローチャートである。
【図１７】ケラレに対処する画像処理及び画像再生を行う画面を例示する図である。
【図１８】画像ファイルの一覧表示を例示する図である。
【図１９】画像処理に係るコマンド表示を例示する図である。
【図２０】特殊なトリミング処理を説明するための図である。
【図２１】特殊なトリミング処理を説明するための図である。
【図２２】特殊なトリミング処理を説明するための図である。
【図２３】特殊なトリミング処理を説明するための図である。
【符号の説明】
【０１４１】
１  画像再生システム
１００  撮像システム
１０１  カメラ本体
１０２  交換レンズ
１１６  撮像素子
１１６ｆ  撮像面
１２１  全体制御部
１４３  設定ボタン群
１７６  メモリカード
５００  画像再生装置
５１１  処理部
５１２  操作部
５１３  表示部
５１５  制御部
５１６  記憶部
５６２  プログラム
Ｇ１  全体画像
ＩＣａ，ＩＣｂ  イメージサークル
Ｋｒ  ケラレ
【図１】
2007174302.tif 000003
【図２】
2007174302.tif 000004
【図３】
2007174302.tif 000005
【図４】
2007174302.tif 000006
【図５】
2007174302.tif 000007
【図６】
2007174302.tif 000008
【図７】
2007174302.tif 000009
【図８】
2007174302.tif 000010
【図９】
2007174302.tif 000011
【図１０】
2007174302.tif 000012
【図１１】
2007174302.tif 000013
【図１２】
2007174302.tif 000014
【図１３】
2007174302.tif 000015
【図１４】
2007174302.tif 000016
【図１５】
2007174302.tif 000017
【図１６】
2007174302.tif 000018
【図１７】
2007174302.tif 000019
【図１８】
2007174302.tif 000020
【図１９】
2007174302.tif 000021
【図２０】
2007174302.tif 000022
【図２１】
2007174302.tif 000023
【図２２】
2007174302.tif 000024
【図２３】
2007174302.tif 000025